(57)【要約】【課題】特別な還元ポイントの付与を通じてグループ化店舗における利用者の囲い込みに寄与する。【解決手段】  所定の日における利用者の支払い行為により今回記憶された支払い金額データの支払い金額が発生条件データにおける発生金額を超えている場合、発生条件データにおける発生割合を参照して支払い金額に対応する特別還元ポイントを表す特別還元ポイントデータを求め、所定の日を表す日付データに関連付けてカード型記憶媒体に書き込むポイントデータ還元システム１ａ１〜１ａｎを備えている。【選択図】図１
2006251841.tif 000002
【特許請求の範囲】
【請求項１】
複数の店舗における所定の地域単位でグループ化された店舗（グループ化店舗）にそれぞれ設置されており、商品購入時に利用者が利用するカード型記憶媒体に対して、次回以降の商品購入時において購入用金額として利用できる還元ポイントを表すポイントデータを蓄積するためのポイントデータ還元システムであって、
日付単位で設定される特別の還元ポイントの発生金額および発生した場合における金額に応じた発生割合を表す発生条件データを記憶する手段と、
所定の日における前記利用者の商品購入時において前記カード型記憶媒体を受付処理する受付処理手段と、
前記所定の日に前記利用者から商品購入金額として支払われた支払い金額を表す支払い金額データを、対応店舗の識別データおよび前記所定の日付を表す日付データに関連付けた状態で前記システム内に用意された記憶領域および前記カード型記憶媒体の内の少なくとも一方に記憶する支払い金額データ記憶手段と、
前記所定の日における前記利用者から今回の支払い行為以前に前記グループ化店舗内において商品購入金額として少なくとも１回支払われた支払い金額データが存在するか否かを前記システム内記憶領域およびカード型記憶媒体の内の少なくとも一方に記憶された支払い金額データを参照して判断する第１の判断手段と、
この第１の判断手段により前記所定の日における今回の支払い行為以前に前記グループ化店舗内において商品購入金額として少なくとも１回支払われた支払い金額データが存在しないと判断された場合に、前記今回記憶された支払い金額データの支払い金額が前記発生条件データにおける発生金額を超えているか否か判断する第２の判断手段と、
この第２の判断手段により、超えていると判断された場合、前記発生条件データにおける発生割合を参照して前記支払い金額に対応する前記特別還元ポイントを表す特別還元ポイントデータを求め、前記所定の日を表す日付データに関連付けて前記システム内記憶領域およびカード型記憶媒体の内の少なくとも一方に書き込む第１の特別還元ポイントデータ書き込み手段と、を備えたことを特徴とするポイントデータ還元システム。
【請求項２】
前記第１の判断手段により、前記所定の日において前記利用者から今回の支払い行為以前に商品購入金額として少なくとも１回支払われた支払い金額データが存在すると判断された場合、前記所定の日において記憶された全ての支払い金額データから支払い金額の合計を求め、求めた合計金額が前記発生条件データにおける発生金額を超えているか否か判断する第３の判断手段と、
この第３の判断手段により、前記合計金額が前記発生金額を超えていると判断された場合に、前記今回の支払い行為以前に商品購入金額として少なくとも１回支払われた支払い金額データに応じて発生した前記特別還元ポイントデータが既に蓄積されているか否か判断する第４の判断手段と、
この第４の判断手段により蓄積されていないと判断された場合に、該発生条件データにおける発生割合を参照して、前記合計金額に対応する前記特別還元ポイントを表す特別還元ポイントデータを求め、前記所定の日を表す日付データに関連付けて前記システム内記憶領域およびカード型記憶媒体の内の少なくとも一方に書き込む第２の特別還元ポイントデータ書き込み手段と、を備えたことを特徴とする請求項１記載のポイントデータ還元システム。
【請求項３】
前記第４の判断手段により、前記今回の支払い行為以前に商品購入金額として少なくとも１回支払われた支払い金額データに応じて発生した前記特別還元ポイントデータが既に前記システム内記憶領域およびカード型記憶媒体の内の少なくとも一方に蓄積されていると判断された場合に、該発生条件データにおける発生割合を参照して、前記合計金額に対応する前記特別還元ポイントを表す特別還元ポイントデータを求め、求めた特別還元ポイントから前記少なくとも１回の支払い時に蓄積された特別還元ポイントを減算して今回の支払いに対応する特別還元ポイントデータを求め、求めた今回の支払いに対応する特別還元ポイントデータを、前記少なくとも１回の支払い時に蓄積された特別還元ポイントに加算して合計特別還元ポイントデータを求め、求めた合計特別還元ポイントデータを前記システム内記憶領域およびカード型記憶媒体の内の少なくとも一方に書き込む第３の特別還元ポイントデータ蓄積手段と、を備えたことを特徴とする請求項２記載のポイントデータ還元システム。
【請求項４】
前記所定の日、あるいは所定の日以降において前記利用者から該所定の日における購入済みの商品の返品または交換が要求された際に、該利用者から提示された前記ポイントカード用記憶媒体を受付処理する受付処理手段と、
前記返品または交換による支払い金額減少分を表すデータを入力する入力手段と、
前記システム内記憶領域およびカード型記憶媒体の内の少なくとも一方に記憶された前記所定の日に対応する全ての支払い金額データを読み出し、読み出した全ての支払い金額データにおける支払い金額の合計から、入力されたデータに対応する金額を減算し、減算して得られた残りの金額を、前記発生条件データにおける発生金額および発生割合とを比較して該所定の日における前記利用者の前記特別還元ポイントデータを変更する手段と、を備えたことを特徴とする請求項１乃至３の内の何れか１項記載のポイントデータ還元システム。
【請求項５】
複数の店舗における所定の地域単位でグループ化された店舗（グループ化店舗）にそれぞれ設置されており、次回以降の商品購入時に利用者が利用するカード型記憶媒体に対して、商品購入時において購入用金額として利用できる還元ポイントを表すポイントデータを蓄積するためのポイントデータ還元用コンピュータを利用したポイントデータ還元方法であって、
前記ポイントデータ還元用コンピュータは、
日付単位で設定される特別の還元ポイントの発生金額および発生した場合における金額に応じた発生割合を表す発生条件データを内部メモリまたはアクセス自在な外部メモリに記憶し、
所定の日における前記利用者の商品購入時において前記カード型記憶媒体を受付処理し、
前記所定の日に前記利用者から商品購入金額として支払われた支払い金額を表す支払い金額データを、対応店舗の識別データおよび前記所定の日付を表す日付データに関連付けた状態で前記カード型記憶媒体および前記コンピュータが通信ネットワークを介してアクセス自在な記憶領域の内の少なくとも一方に記憶し、
前記所定の日における前記利用者から今回の支払い行為以前に前記グループ化店舗内において商品購入金額として支払われた少なくとも１つの支払い金額データが存在するか否かを前記カード型記憶媒体および前記記憶領域の内の少なくとも一方に記憶された支払い金額データを参照して判断し、
この判断により前記所定の日に今回の支払い行為以前に商品購入金額として支払われた支払い金額データが存在しないと判断された場合に、前記今回記憶された支払い金額データの支払い金額が、前記内部または外部メモリに記憶された発生条件データにおける発生金額を超えているか否か判断し、
この判断により、前記今回記憶された支払い金額データの支払い金額が前記内部または外部メモリに記憶された発生条件データにおける発生金額を超えていると判断された場合、前記発生条件データにおける発生割合を参照して前記支払い金額に対応する前記特別還元ポイントを表す特別還元ポイントデータを求め、前記所定の日を表す日付データに関連付けて前記カード型記憶媒体および前記記憶領域の内の少なくとも一方に書き込むことを特徴とするポイントデータ還元方法。
【発明の詳細な説明】
【技術分野】
【０００１】
本発明は、商品購入時に利用者が利用するカード型記憶媒体に対して、次回以降の商品購入時において購入用金額として利用できる還元ポイントを表すポイントデータを書き込むためのポイントデータ還元方法およびシステムに関する。
【背景技術】
【０００２】
従来、小売店、スーパー等の店舗においては、利用者の商品購入時に、その支払い金額に応じて、次回以降の商品購入時において購入用金額として利用できる還元ポイントを表すポイントデータを、その利用者に対して還元している。この還元の方法として、各店舗には、商品購入場所（代金支払い場所）にコンピュータ端末が設置されており、商品購入時に利用者から提供されたカード型記憶媒体をそのコンピュータ端末に受付処理した状態で、その支払い金額に対応する還元ポイントを表すポイントデータをカード型記憶媒体に書き込んでいる（例えば、特許文献１参照）。
【特許文献１】特開２００２−１３３５２６号公報
【発明の開示】
【発明が解決しようとする課題】
【０００３】
しかしながら、従来のポイント還元方法では、例えば、利用者が所定の日に同一店舗または同一系列の複数店舗において複数回商品を購入してそれぞれ料金を
支払った場合でも、利用者に還元されるポイントは、各購入時における金額に対応するポイントのみであり、仮に総購入金額が相当な額に到達した場合でも、その購入に対する利用者へのポイント還元のメリットは無かった。
【０００４】
この点は、同一系列の店舗群において利用者の囲い込みを図る際には問題であり、所定の日に同一系列の店舗群を複数回選んで商品購入してくれた利用者（顧客）には、ポイントの面で他の利用者と差別化した便宜を与えることが望ましかった。
【０００５】
本発明は、上述した事情に鑑みてなされたものであり、所定の日に所定の地域単位でグループ化されたグループ化店舗における支払い金額に応じて利用者に対しポイントの面での便宜を与えることにより、グループ化店舗における利用者の囲い込みに寄与することをその目的とする。
【課題を解決するための手段】
【０００６】
請求項１記載の発明は、複数の店舗における所定の地域単位でグループ化された店舗（グループ化店舗）にそれぞれ設置されており、商品購入時に利用者が利用するカード型記憶媒体に対して、次回以降の商品購入時において購入用金額として利用できる還元ポイントを表すポイントデータを蓄積するためのポイントデータ還元システムであって、日付単位で設定される特別の還元ポイントの発生金額および発生した場合における金額に応じた発生割合を表す発生条件データを記憶する手段と、所定の日における前記利用者の商品購入時において前記カード型記憶媒体を受付処理する受付処理手段と、前記所定の日に前記利用者から商品購入金額として支払われた支払い金額を表す支払い金額データを、対応店舗の識別データおよび前記所定の日付を表す日付データに関連付けた状態で前記システム内に用意された記憶領域および前記カード型記憶媒体の内の少なくとも一方に記憶する支払い金額データ記憶手段と、前記所定の日における前記利用者から今回の支払い行為以前に前記グループ化店舗内において商品購入金額として少なくとも１回支払われた支払い金額データが存在するか否かを前記システム内記憶領域およびカード型記憶媒体の内の少なくとも一方に記憶された支払い金額データを参照して判断する第１の判断手段と、この第１の判断手段により前記所定の日における今回の支払い行為以前に前記グループ化店舗内において商品購入金額として少なくとも１回支払われた支払い金額データが存在しないと判断された場合に、前記今回記憶された支払い金額データの支払い金額が前記発生条件データにおける発生金額を超えているか否か判断する第２の判断手段と、この第２の判断手段により、超えていると判断された場合、前記発生条件データにおける発生割合を参照して前記支払い金額に対応する前記特別還元ポイントを表す特別還元ポイントデータを求め、前記所定の日を表す日付データに関連付けて前記システム内記憶領域およびカード型記憶媒体の内の少なくとも一方に書き込む第１の特別還元ポイントデータ書き込み手段と、を備えている。
【０００７】
請求項２記載の発明は、前記第１の判断手段により、前記所定の日において前記利用者から今回の支払い行為以前に商品購入金額として少なくとも１回支払われた支払い金額データが存在すると判断された場合、前記所定の日において記憶された全ての支払い金額データから支払い金額の合計を求め、求めた合計金額が前記発生条件データにおける発生金額を超えているか否か判断する第３の判断手段と、この第３の判断手段により、前記合計金額が前記発生金額を超えていると判断された場合に、前記今回の支払い行為以前に商品購入金額として少なくとも１回支払われた支払い金額データに応じて発生した前記特別還元ポイントデータが既に蓄積されているか否か判断する第４の判断手段と、この第４の判断手段により蓄積されていないと判断された場合に、該発生条件データにおける発生割合を参照して、前記合計金額に対応する前記特別還元ポイントを表す特別還元ポイントデータを求め、前記所定の日を表す日付データに関連付けて前記システム内記憶領域およびカード型記憶媒体の内の少なくとも一方に書き込む第２の特別還元ポイントデータ書き込み手段と、を備えている。
【０００８】
請求項３記載の発明は、前記第４の判断手段により、前記今回の支払い行為以前に商品購入金額として少なくとも１回支払われた支払い金額データに応じて発生した前記特別還元ポイントデータが既に前記システム内記憶領域およびカード型記憶媒体の内の少なくとも一方に蓄積されていると判断された場合に、該発生条件データにおける発生割合を参照して、前記合計金額に対応する前記特別還元ポイントを表す特別還元ポイントデータを求め、求めた特別還元ポイントから前記少なくとも１回の支払い時に蓄積された特別還元ポイントを減算して今回の支払いに対応する特別還元ポイントデータを求め、求めた今回の支払いに対応する特別還元ポイントデータを、前記少なくとも１回の支払い時に蓄積された特別還元ポイントに加算して合計特別還元ポイントデータを求め、求めた合計特別還元ポイントデータを前記システム内記憶領域およびカード型記憶媒体の内の少なくとも一方に書き込む第３の特別還元ポイントデータ蓄積手段と、を備えている。  請求項４記載の発明は、前記所定の日、あるいは所定の日以降において前記利用者から該所定の日における購入済みの商品の返品または交換が要求された際に、該利用者から提示された前記ポイントカード用記憶媒体を受付処理する受付処理手段と、前記返品または交換による支払い金額減少分を表すデータを入力する入力手段と、前記システム内記憶領域およびカード型記憶媒体の内の少なくとも一方に記憶された前記所定の日に対応する全ての支払い金額データを読み出し、読み出した全ての支払い金額データにおける支払い金額の合計から、入力されたデータに対応する金額を減算し、減算して得られた残りの金額を、前記発生条件データにおける発生金額および発生割合とを比較して該所定の日における前記利用者の前記特別還元ポイントデータを変更する手段と、を備えている。
【０００９】
請求項５記載の発明は、複数の店舗における所定の地域単位でグループ化された店舗（グループ化店舗）にそれぞれ設置されており、次回以降の商品購入時に利用者が利用するカード型記憶媒体に対して、商品購入時において購入用金額として利用できる還元ポイントを表すポイントデータを蓄積するためのポイントデータ還元用コンピュータを利用したポイントデータ還元方法であって、前記ポイントデータ還元用コンピュータは、日付単位で設定される特別の還元ポイントの発生金額および発生した場合における金額に応じた発生割合を表す発生条件データを内部メモリまたはアクセス自在な外部メモリに記憶し、所定の日における前記利用者の商品購入時において前記カード型記憶媒体を受付処理し、前記所定の日に前記利用者から商品購入金額として支払われた支払い金額を表す支払い金額データを、対応店舗の識別データおよび前記所定の日付を表す日付データに関連付けた状態で前記カード型記憶媒体および前記コンピュータが通信ネットワークを介してアクセス自在な記憶領域の内の少なくとも一方に記憶し、前記所定の日における前記利用者から今回の支払い行為以前に前記グループ化店舗内において商品購入金額として支払われた少なくとも１つの支払い金額データが存在するか否かを前記カード型記憶媒体および前記記憶領域の内の少なくとも一方に記憶された支払い金額データを参照して判断し、この判断により前記所定の日に今回の支払い行為以前に商品購入金額として支払われた支払い金額データが存在しないと判断された場合に、前記今回記憶された支払い金額データの支払い金額が、前記内部または外部メモリに記憶された発生条件データにおける発生金額を超えているか否か判断し、この判断により、前記今回記憶された支払い金額データの支払い金額が前記内部または外部メモリに記憶された発生条件データにおける発生金額を超えていると判断された場合、前記発生条件データにおける発生割合を参照して前記支払い金額に対応する前記特別還元ポイントを表す特別還元ポイントデータを求め、前記所定の日を表す日付データに関連付けて前記カード型記憶媒体および前記記憶領域の内の少なくとも一方に書き込む。
【発明の効果】
【００１０】
本発明によれば、所定の日においてグループ化店舗内において複数回商品購入を行って対応する金額を支払った利用者のカード型記憶媒に対し、その所定の日における支払い金額に応じた特別の還元ポイントを蓄積することができる。このため、利用者のグループ化店舗内での商品購入意欲を促進させることが可能になり、グループ化店舗内での利用者の囲い込みに寄与することができる。
【発明を実施するための最良の形態】
【００１１】
以下、本発明の一実施形態について図面を参照にして説明する。
図１に示すように、本発明の一実施形態に係わるポイントデータ還元システム１ａ１〜１ａｎは、同一系列における所定の地域（例えば、各駅の近傍等）単位でグループ化（店舗グループＧ）された複数（例えば、商品種別によって分けられている）の店舗Ｓａ１〜Ｓａｎそれぞれに設置されている。
【００１２】
各ポイントデータ還元システム１ａ１〜１ａｎは、例えば電話回線等の通信ネットワークＮを介して通信可能に接続されている。
【００１３】
各ポイントデータ還元システム１ａ１〜１ａｎは、対応店舗における例えば商品購入場所（代金支払い場所）に設置されており、商品購入時に利用者から提供されたカード型記憶媒体であるポイントカードＰＣに対して、次回以降の商品購入時において購入用金額として利用できる還元ポイントを表すポイントデータを書き込む（蓄積する）ためのシステムである。
【００１４】
すなわち、ポイントデータ還元システム１ａ１〜１ａｎ（以下、１ａ１として説明するが、他のシステムも同一の構成要素を有している）は、ポイントカードＰＣを挿置する挿置部を有し、利用者から提供され、かつ挿置部に挿置されたポイントカードＰＣを受付処理し、ポイントカードＰＣ内に蓄積されたデータを読み取る（リードする）機能およびポイントカードＰＣに対してデータを書き込む（ライトする）機能を有するカードリーダ／ライタ１０を備えている。
【００１５】
また、ポイントデータ還元システム１ａ１は、このカードリーダ／ライタ１０に接続され、内部メモリ１１ａを有するコンピュータ１１を備えている。
【００１６】
さらに、ポイントデータ還元システム１ａ１は、ポイントカードＰＣを提供した利用者が商品購入した際に、その商品に添付されたバーコード（商品識別コード、商品名、金額等）の読み取り処理や、オペレータのキーボード入力処理により、商品購入金額や、実際に利用者が支払った金額をコンピュータ１１へ入力する支払い金額データ入力部１２を備えている。
【００１７】
さらに、ポイントデータ還元システム１ａ１は、利用者の今回の商品購入の領収書を表すレシートを印刷するためのレシート印刷部１３を備えている。
【００１８】
コンピュータ１１の内部メモリ１１ａには、１回の購入金額（支払い金額）に対して利用者に還元されるポイント（通常ポイント）の割合を表す通常ポイント割合データが記憶されている。
【００１９】
さらに、コンピュータ１１の内部メモリ１１ａには、例えば所定のセール期間（以下、ステップアップポイント還元セール期間ともいう）中での同一日付における利用者の店舗グループＧ内の総購入金額に応じて利用者に特別に還元されるポイント(特別ポイント：ステップアップポイント)が発生する金額および発生した場合における金額に応じた発生割合を表す発生条件データが予め記憶されている。なお、通常ポイント割合データや発生条件データは、コンピュータ１１がアクセス可能な外部メモリに記憶されていてもよい。
【００２０】
例えば、本実施形態において、ステップアップポイント発生条件データは、例えば、同一日付における利用者の店舗グループＧ内の総購入金額（支払い金額）の複数の連続した範囲毎に、例えば総支払い金額が高ければ高いほど発生割合が高くなるように設定されている。
【００２１】
以下、本実施形態に係わるポイントデータ還元システム１ａ１の動作について説明する。
【００２２】
例えば、ステップアップポイント還元セール期間中での所定の日（年月日）において店舗Ｓａ１において商品を購入しようと欲した利用者は、その商品を持ってポイントデータ還元システム１ａ１の前に行き、商品および自らのポイントカードＰＣをシステム１ａ１の操作を担当するオペレータに提供する。
【００２３】
オペレータは、提供されたポイントカードＰＣをカードリーダ／ライタ１０の挿置部に挿置してカードリーダ／ライタ１０を介して受付処理する。このとき、支払い金額データ入力部１２は、オペレータのバーコード読み取り処理および／またはキーボードによるデータ入力処理により入力された支払い金額データをコンピュータ１１に入力する。
【００２４】
このとき、コンピュータ１１は、図２に示す処理を実行する。
すなわち、コンピュータ１１は、メモリ１１ａに記憶された通常ポイント割合データを参照して、入力された支払い金額データに対応する通常ポイントを表す通常ポイントデータを求め、求めた通常ポイントデータをカードリーダ／ライタ１０を介してポイントカードＰＣの記憶領域に書き込む（蓄積する）(ステップＳ１)。なお、ステップＳ１の処理においては、コンピュータ１１は、カードリーダ／ライタ１０を介してポイントカードＰＣに現在蓄積されている通常ポイントを読み取り、読み取った通常ポイントに対し、今回求めた通常ポイントを加算し、加算した通常ポイントを表す通常ポイントデータをカードリーダ／ライタ１０を介してポイントカードＰＣの記憶領域に書き込んでもよい。
【００２５】
次いで、コンピュータ１１は、入力された支払い金額データを、商品購入対応店舗（この場合、Ｓａ１）の識別データおよび前記所定の日の日付(利用年月日)を表す日付データに関連付けた状態で、カードリーダ／ライタ１０を介してポイントカードＰＣの記憶領域に書き込む（ステップＳ２）。
【００２６】
このとき、コンピュータ１１は、その所定の日付（利用年月日）において、対応する利用者（同一ポイントカードの利用者）から今回の支払い行為以前に店舗グループＧの各店舗Ｓａ１〜Ｓａｎにおいて商品購入金額として少なくとも１回支払われた支払い金額データが存在するか否かを、カードリーダ／ライタ１０を介してポイントカードＰＣの記憶領域を検索して判断する（ステップＳ３）。
【００２７】
今、利用者がこの所定の日における今回の支払い行為以前に何れの店舗Ｓａ１〜Ｓａｎにおいても商品購入を行っていない場合（金額を支払っていない場合）、ポイントカードＰＣの記憶領域には、今回の支払い行為以前の店舗グループＧ内での支払い金額データは存在しないため、ステップＳ３の判断はＮＯとなる。
【００２８】
ステップＳ３の判断がＮＯの場合、コンピュータ１１は、ステップＳ２の処理によりカードＰＣ内に記憶された支払い金額データにおける支払い金額が、内部メモリ１１ａに記憶された発生条件データにおけるポイント発生金額を超えているか（以上か）否か判断する（ステップＳ４）。
【００２９】
ステップＳ２の処理によりカードＰＣ内に記憶された支払い金額データの支払い金額が内部メモリ１１ａに記憶された発生条件データにおけるポイント発生金額を超えている場合には、ステップＳ４の判断はＹＥＳとなり、コンピュータ１１は、その発生条件データにおける発生割合を参照して、その支払い金額に対応するステップアップポイントを表すステップアップポイントデータを求め、前記所定の日を表す日付データに関連付けた状態でカードリーダ／ライタ１０を介してポイントカードＰＣの記憶領域に書き込み(ステップＳ５)、ステップＳ１１の処理に移行する。
【００３０】
例えば、通常ポイント割合データが支払い金額の１０％であり、発生条件データとして、同一店舗グループＧ内での同一日付による総支払い金額が５０，０００円以上であれば、ステップアップポイントが発生し、総支払い金額が５０，０００円〜１００，０００円以内であれば、その金額の３％のステップアップポイントとなり、総支払い金額が１００，０００以上であれば、その金額の５％のステップアップポイントとなるように定められていると仮定する（なお、本実施形態における具体例では、常にこの仮定が適用されるものとする）。
【００３１】
このとき、ステップＳ１〜Ｓ５において、図３に示すように、利用者が１３０，０００円の支払いを行ったと仮定すると、この利用者のポイントカードＰＣには、１３，０００ポイント（ｐ）の通常ポイントに加えて、６，５００ポイント（ｐ）のステップアップポイントがそれぞれ蓄積されることになる。
【００３２】
なお、ステップＳ２の処理によりカードＰＣ内に記憶された支払い金額データにおける支払い金額が、内部メモリ１１ａに記憶された発生条件データにおけるポイント発生金額を超えていない場合には、ステップＳ４の判断はＮＯとなり、コンピュータ１１は、ステップアップポイントを発行しないものと判断してステップＳ１１の処理に移行する。
【００３３】
一方、今、利用者がこの所定の日における今回の支払い行為以前に少なくとも何れの店舗Ｓａ１〜Ｓａｎにおいて少なくとも１回商品購入を行っている場合、ポイントカードＰＣの記憶領域には、今回の支払い行為以前の店舗グループＧ内での少なくとも１つの支払い金額データ（以下、前回支払い金額データとする）が存在している。
【００３４】
したがって、ステップＳ３の判断はＹＥＳとなり、コンピュータ１１は、この所定の日においてポイントカードＰＣ内に記憶された全ての支払い金額データから支払い金額の合計を求め、求めた合計金額が発生条件データにおける発生金額を超えているか否か判断する（ステップＳ６）。
【００３５】
このステップＳ６の判断の結果、超えていない場合（ステップＳ６→ＮＯ）、コンピュータ１１は、ステップアップポイントを発行しないものと判断してステップＳ１１の処理に移行する。
【００３６】
一方、ステップＳ６の判断の結果、超えている場合（ステップＳ６→ＹＥＳ）、コンピュータ１１は、今回の支払い行為以前に商品購入金額として支払われた前回支払い金額データからステップアップポイントが既に発生されポイントカードＰＣに蓄積されているか否かを、カードリーダ／ライタ１０を介してポイントカードＰＣの記憶領域を検索して判断する（ステップＳ７）。
【００３７】
今、前回支払い金額データにおける支払い金額がポイント発生金額を超えていない場合には、コンピュータ１１のステップＳ７の判断はＮＯとなり、コンピュータ１１は、発生条件データにおける発生割合を参照して、その合計金額に対応するステップアップポイントを表すステップアップポイントデータを求め、前記所定の日を表す日付データに関連付けた状態でカードリーダ／ライタ１０を介してポイントカードＰＣの記憶領域に書き込み(ステップＳ８)、ステップＳ１１の処理に移行する。
【００３８】
一方、前回支払い金額データにおける支払い金額がポイント発生金額を超えている場合には、コンピュータ１１のステップＳ７の判断はＹＥＳとなり、コンピュータ１１は、発生条件データにおける発生割合を参照して、その合計金額に対応するステップアップポイントを表すステップアップポイントデータを求め、求めたステップアップポイントから少なくとも１回の支払い時に蓄積されたステップアップポイントを減算して今回の支払いに対応するステップアップポイントを求める（ステップＳ９）。そして、コンピュータ１１は、求めた今回の支払いに対応するステップアップポイントを、少なくとも１回の支払い時に蓄積されたステップアップポイントに加算して合計ステップアップポイントを求め、求めた合計ステップアップポイントを表す合計ステップアップポイントデータを日付データに関連付けてポイントカードＰＣの記憶領域に蓄積する(ステップＳ１０)。
【００３９】
例えば、ステップＳ１〜Ｓ１０において、図４に示すように、利用者が同一利用日に同一の店舗グループＧ内で４０，０００円の支払いを行い、次いで同一利用日に同一の店舗グループＧ内で３０，０００円の支払いを行い、さらに、同一利用日に同一の店舗グループＧ内で６０，０００円の支払いを行ったと仮定する。
【００４０】
このとき、図４に示すように、この利用者のポイントカードＰＣには、４０，０００円、３０，０００円、および６０，０００円に対応する合計１３，０００ポイントの通常ポイントが蓄積される。
【００４１】
さらに、この通常ポイントに加えて、３０，０００円の支払いを行った時点で、コンピュータ１１のステップＳ６〜Ｓ８の処理により、２，１００ポイントのステップアップポイントが蓄積される。
【００４２】
そして、６０，０００円の支払いを行った時点で、コンピュータ１１のステップＳ６〜Ｓ９の処理により、全ての合計金額に対応するステップアップポイント（１３０，０００＊５％＝６，５００）から既に蓄積されているステップアップポイント（２，１００）を減算した結果である４，４００ポイントのステップアップポイントがポイントカードＰＣ内に蓄積される。
【００４３】
他の例として、例えば、ステップＳ１〜Ｓ１０において、図５に示すように、利用者が同一利用日に同一の店舗グループＧ内で６０，０００円の支払いを行い、次いで同一利用日に同一の店舗グループＧ内で３０，０００円の支払いを行い、さらに、同一利用日に同一の店舗グループＧ内で４０，０００円の支払いを行ったと仮定する。
【００４４】
このとき、図５に示すように、この利用者のポイントカードＰＣには、６０，０００円、３０，０００円、および４０，０００円に対応する合計１３，０００ポイントの通常ポイントが蓄積される。
【００４５】
さらに、この通常ポイントに加えて、６０，０００円の支払いを行った時点で、コンピュータ１１のステップＳ１〜Ｓ５の処理により、１，８００ポイントのステップアップポイントが蓄積され、３０，０００円の支払いを行った時点で、コンピュータ１１のステップＳ６〜Ｓ１０の処理により、９０，０００＊３％−１，８００＝９００のステップアップポイントが蓄積される。
【００４６】
そして、４０，０００円の支払いを行った時点で、コンピュータ１１のステップＳ６〜Ｓ９の処理により、全ての合計金額に対応するステップアップポイント（１３０，０００＊５％＝６，５００）から各支払い時に蓄積されているステップアップポイント（１，８００と９００）を減算した結果である３，８００ポイントが今回のステップアップポイントとして求められる。そして、求められた今回のステップアップポイントが各支払い時に蓄積されているステップアップポイント（１，８００と９００）に加算され、合計ステップアップポイント（６，５００）としてポイントカードＰＣ内に蓄積される。
【００４７】
そして、コンピュータ１１は、利用者から支払われた支払い金額に対応する支払い金額データがオペレータから支払い金額データ入力部１２を介して入力された際に、入力された支払い金額データと購入金額データとの間の清算処理を実行し、その実行結果に基づいて、店舗名、店舗コード、商品データ（商品識別コード、商品名、商品点数、）、商品購入金額データ（商品点数毎および合計金額）、支払い金額データ、差額データ、および通常ポイントデータ等を、レシート印刷部１３を介してレシート用紙に印刷する（ステップＳ１１）。
【００４８】
このとき、本実施形態では、コンピュータ１１は、ステップアップポイントが発生した場合には、上記商品データ等の印刷処理に加えて、今回の商品購入によって発生したステップアップポイント（今回発生ステップアップポイント）および本日（所定の日）における現時点までに発生されたステップアップポイントの合計（合計ステップアップポイント）をそれぞれポイントカードＰＣ内から読み出し、読み出した本日発生ステップアップポイントおよび合計ステップアップポイントを、レシート印刷部１３を介してレシート用紙にそれぞれ印刷し、その後レシート用紙をレシートＲとして出力する（ステップＳ１２）（図６（ａ）参照）。
【００４９】
この結果、利用者は、出力されたレシートＲを見ることにより、通常の商品データ、商品購入金額データ、支払い金額データ等に加えて、今回の購入によって発生した今回発生ステップアップポイントおよび本日における現時点までに発生された合計ステップアップポイントをそれぞれ確認することができる。
【００５０】
以上述べたように、本実施形態によれば、所定の日において同一グループの複数の店舗において商品購入を行った利用者は、それぞれの商品購入に対する通常のポイントに加えて、同一グループの複数の店舗を利用したことへの特典としてのステップアップポイントを取得することができる。
【００５１】
したがって、複数の店舗において複数の商品を購入したい利用者に対し、ステップアップポイントの付与を通じて、同一系列における同一グループの複数の店舗の利用を促すことが可能になり、同一系列のグループ化店舗による利用者の囲い込みに寄与することができる。
【００５２】
なお、本実施形態においては、同一日付における利用者の店舗グループＧ内の総支払い金額の複数の連続した範囲毎に設定されているため、利用者が所定の日において、さらに後いくら商品を購入して対応する金額を支払えば、さらにステップアップポイントが追加されるかを表す情報をレシートＲ１に印刷してもよい（図６（ｂ）参照）。
【００５３】
この構成によれば、ステップアップポイントの還元情報をレシートＲ１を介して利用者に与えることにより、ステップアップポイントの増大に起因した同一日の同一店舗グループＧ内での利用者の商品購入意欲を向上させることができる。
【００５４】
一方、所定の日において同一グループの複数のＳａ１〜Ｓａｎにおいて商品購入を複数回行い、その結果ステップアップポイントを取得した利用者が、購入した複数の商品の内の少なくとも１つの商品を、その所定の日、ステップアップポイント還元セール期間中の所定の日以降の日、あるいはステップアップポイント還元セール期間外の所定の日以降の日において、購入店舗（例えばＳａ１とする）のポイントデータ還元システム１ａ１操作担当のオペレータに返品した場合、オペレータは、その利用者からポイントカードＰＣを提供してもらう。
【００５５】
そして、オペレータは、提供されたポイントカードＰＣをカードリーダ／ライタ１０の挿置部に挿置してカードリーダ／ライタ１０を介して受付処理する。そして、オペレータは、キーボードを操作して、その商品に対応する金額データを、所定の日における支払い金額減少分を表す金額データとしてコンピュータ１１に入力する。
【００５６】
このとき、コンピュータ１１は、図７に示す処理を実行する。
すなわち、コンピュータ１１は、入力された減少分金額データを受信し、メモリ１１ａに記憶された通常ポイント割合データを参照して減少分金額データに対応する通常ポイントを求め、求めた通常ポイントを、ポイントカードＰＣの記憶領域に記憶された通常ポイントから減算する（ステップＳ２０）。
【００５７】
次いで、コンピュータ１１は、ポイントカードＰＣの記憶領域を参照し、その所定の日のステップアップポイント発生対象である全ての支払い金額データを読み出し、受信した減少分金額データを、読み出した全支払い金額データの総額から減算する（ステップＳ２１）。
【００５８】
続いて、コンピュータ１１は、ステップＳ２１の処理により得られた減算後の残りの支払い金額データにおける支払い金額が、内部メモリ１１ａに記憶された発生条件データにおけるポイント発生金額以上であるか否か判断する（ステップＳ２２）。
ステップＳ２１の処理により残りの支払い金額が内部メモリ１１ａに記憶された発生条件データにおけるポイント発生金額未満である場合には、ステップＳ２２の判断はＮＯとなり、コンピュータ１１は、ポイントカードＰＣ内において所定の日を表す日付データに関連付けた状態で記憶されているステップアップポイントをクリア（０）にして（ステップＳ２３）、処理を終了する。
【００５９】
一方、ステップＳ２１の処理により残りの支払い金額が内部メモリ１１ａに記憶された発生条件データにおけるポイント発生金額を超えている場合には、ステップＳ２２の判断はＹＥＳとなり、コンピュータ１１は、その発生条件データにおける発生割合を参照して、その残りの支払い金額に対応するステップアップポイントを表すステップアップポイントデータ、すなわち、返品後ステップアップポイントデータを求め、ポイントカードＰＣ内において前記所定の日を表す日付データに関連付けた状態で記憶されているステップアップポイントを、求められた返品後ステップアップポイントデータに更新（変更）して（ステップＳ２４）、処理を終了する。
【００６０】
例えば、図５に示す例において、利用者が同一利用日に同一の店舗グループＧ内において支払った６０，０００円に相当する商品の返品を行った場合には、コンピュータ１１のステップＳ２０〜Ｓ２１の処理により、図８に示すように、ステップアップポイント対象の支払い金額の残りは、６０，０００円＋３０，０００円＝９０，０００円となり、コンピュータ１１のステップＳ２２〜Ｓ２４の処理により、その金額（９０，０００）に対応する発生割合（３％）に基づいてステップアップポイント（２，７００ポイント）が得られる。この結果、ポイントカードＰＣに記憶されたステップアップポイントは、２，７００ポイントに変更（減額）される。
【００６１】
一方、例えば、図４に示す例において、利用者が同一利用日に同一の店舗グループＧ内において支払った４０，０００円に相当する商品の返品を行った場合には、コンピュータ１１のステップＳ２０〜Ｓ２１の処理により、図９に示すように、ステップアップポイント対象の支払い金額の残りは、３０，０００円＋６０，０００円＝９０，０００円となり、コンピュータ１１のステップＳ２２〜Ｓ２４の処理により、その金額（９０，０００）に対応する発生割合（３％）に基づいてステップアップポイント（２，７００ポイント）が得られる。この結果、ポイントカードＰＣに記憶されたステップアップポイントは、２，７００ポイントに変更（減額）される。
【００６２】
以上述べたように、本変形例によれば、たとえ利用者から、発生したステップアップポイントの一部の商品の返品が発生した場合であっても、その返品商品の支払い金額を除いた残りの支払い金額に対応するステップアップポイントを再計算し、ポイントカードＰＣ内のステップアップポイントを、計算したステップアップポイントに変更することができる。
【００６３】
なお、商品の返品した後、その返品商品より価格の安い商品に交換した場合には、その価格差に相当する金額を表すデータを減少分金額データとして、ステップＳ２０〜Ｓ２４の処理を行えばよい。
【００６４】
本実施形態では、各ポイントデータ還元システム１ａ１〜１ａｎを、店舗グループＧを構成する各店舗Ｓａ１〜Ｓａｎにそれぞれ設置されたシステムとして構築したが、本発明はこの構成に限定されるものではない。
【００６５】
例えば、図１０に示すように、各ポイントデータ還元システム１ａ１’〜１ａｎ’は、対応店舗における例えば商品購入場所に設置された各ポイントデータ還元用端末２１ａ１〜２１ａｎと、この各ポイントデータ還元用端末２１ａ１〜２１ａｎが電話回線や専用線等の通信ネットワークを介して通信自在なセンタサーバ（サーバコンピュータ）２２とを備えている。すなわち、ポイントデータ還元システム１ａ１’は、対応するポイントデータ還元用端末２１ａ１と、センタサーバ２２とから構成されている。
【００６６】
このように構成された各ポイントデータ還元システム１ａ１’〜１ａｎ’（例えば、ポイントデータ還元システム１ａ１’について説明するが、他のシステムでも同様）によれば、前掲図２および図７に示された各処理のうち、ポイントカードＰＣに直接データを書き込む処理以外の処理を、センタサーバ２２により行うこともできる。この際、支払い金額データやステップアップポイントの書き込み先をセンタサーバ２２内に用意された記憶領域内にしてもよいし、ポイントカードＰＣへの書き込みに加えて、そのサーバ２２内の記憶領域に書き込むようにしてもよい。
【００６７】
最後に、本発明は、本実施形態に記載した構成に限定されるものではなく、本発明の主題および記載した請求項の範囲内においては、本発明の構成を多様に変更・変形して実施することが可能である。
【図面の簡単な説明】
【００６８】
【図１】本発明の一実施形態に係わるポイントデータ還元システムの概略構成を示すブロック図である。
【図２】図１に示すポイントデータ還元システムにおけるコンピュータのステップアップポイント還元処理を含む処理の一例を示す概略フローチャートである。
【図３】図２に示すコンピュータのステップアップポイント還元処理の具体例を模式的に示す図である。
【図４】図２に示すコンピュータのステップアップポイント還元処理の他の具体例を模式的に示す図である。
【図５】図２に示すコンピュータのステップアップポイント還元処理の他の具体例を模式的に示す図である。
【図６】（ａ）および（ｂ）は、本実施形態に係わるレシートの一例をそれぞれ示す図である。
【図７】図１に示すポイントデータ還元システムにおけるコンピュータの商品返品／交換時のステップアップポイント変更処理の一例を示す概略フローチャートである。
【図８】図６に示すコンピュータのステップアップポイント変更処理の具体例を模式的に示す図である。
【図９】図６に示すコンピュータのステップアップポイント変更処理の他の具体例を模式的に示す図である。
【図１０】本発明の一実施形態の変形例に係わるポイントデータ還元システムの概略構成を示すブロック図である。
【符号の説明】
【００６９】
１ａ１〜１ａｎ  ポイントデータ還元システム
１０  カードリーダ／ライタ
１１  コンピュータ
１１ａ  メモリ
１２  支払い金額データ入力部
１３  レシート印刷部
２１ａ１〜２１ａｎ  ポイントデータ還元用端末
２２  センタサーバ
ＰＣ  ポイントカード
Ｓａ１〜Ｓａｎ  店舗
Ｇ  店舗グループ
Ｎ  ネットワーク
Ｒ、Ｒ１  レシート
【図１】
2006251841.tif 000003
【図２】
2006251841.tif 000004
【図３】
2006251841.tif 000005
【図４】
2006251841.tif 000006
【図５】
2006251841.tif 000007
【図６】
2006251841.tif 000008
【図７】
2006251841.tif 000009
【図８】
2006251841.tif 000010
【図９】
2006251841.tif 000011
【図１０】
2006251841.tif 000012